【手続補正書】
【提出日】平成17年6月17日(2005.6.17)
【手続補正１】
【補正対象書類名】明細書
【補正対象項目名】０００５
【補正方法】変更
【補正の内容】
【０００５】
これら底面片５ａ，５ｂの係合部９ａ，９ｂの一方の縁は円弧状の凸部とされている一方、他方の縁は略４５°の角度をなす傾斜部とされている。そして、この傾斜部の底から第１及び第３の折目線３ａ，３ｃ方向に向かって斜めに延びる第１及び第２の谷折線１０ａ，１０ｂを介して第１及び第２の結合部１１ａ，１１ｂがそれぞれ設けられている。これらの結合部１１ａ，１１ｂは、第１及び第２の連結片４ａ，４ｂと重ね合されて接着剤で固着される。これにより、第１の連結片４ａが第１の底面片５ａに接合され、同じく第２の連結片４ｂが第２の底面片５ｂに接合される。そして、一方の底面片５ａの係合部９ａを他方の底面片５ｂの係合部９ｂに係合させることにより、自己ロック式の端部閉鎖部である底面が形成されている。
【手続補正２】
【補正対象書類名】明細書
【補正対象項目名】０００８
【補正方法】変更
【補正の内容】
【０００８】
更に、内側緩衝片１３の第１〜第３の内側片１３ａ〜１３ｃ及び外側緩衝片１４の第１及び第３の外側片１４ａ，１４ｃには、電子機器等の内容物を収納するための収納凹部１７を形成する収納穴１７ａ〜１７ｅが設けられている。これらの収納穴１７ａ〜１７ｅは、第１〜第３の内側片１３ａ〜１３ｃ並びに第１及び第３の外側片１４ａ，１４ｃの折り曲げ順序により内容物の各層における断面形状に対応した形状に形成されている。そして、最上層に位置することになる第１の外側片１４ａには、内容物の周縁の一部を覆って収納凹部１７からの抜け出しを防止するための抜止め部１８と、内容物に取り付けられた吊り下げ紐等を通過させるための通し溝１９とが設けられている。
【手続補正３】
【補正対象書類名】明細書
【補正対象項目名】０００９
【補正方法】変更
【補正の内容】
【０００９】
このような構成を有する緩衝材１２は、次のようにして組み立てられる。まず、第１及び第２の折目線１６ａ，１６ｂを折り込んで内側緩衝片１３を外側緩衝片１４の上に重ね合せる。そして、第５の折目線１６ｅを折り込んで第３の内側片１３ｃを第２の内側片１３ｂの上に重ね合せ、次に、第３及び第４の折目線１６ｃ，１６ｄを折り込んで第１の内側片１３ａを第３の内側片１３ｃの上に重ね合せる。この上に、第８及び第９の折目線１６ｈ，１６ｉを折り込んで第３の外側片１４ｃを重ね合せ、更に、第６及び第７の折目線１６ｆ，１６ｇを折り込んで第１の外側片１４ａを第３の外側片１４ｃの上に重ね合せる。そして、第１０、第１１及び第１２の折目線１６ｊ，１６ｋ及び１６ｌを順次折り込んで係止片１４ｄを下方へ巻き込むように組み付けることにより、図１４に示すような６層構造の段ボール紙製緩衝材１２が得られる。
【手続補正４】
【補正対象書類名】明細書
【補正対象項目名】００１２
【補正方法】変更
【補正の内容】
【００１２】
また、上述した段ボール紙組立型の緩衝材１２の場合には、内容物が着脱される収納凹部１７の一面が開口されたままの状態となり、緩衝材１２だけでは収納された内容物の全面を覆って保護することができないという課題がある。更に、包装容器１の内部が、内容物を除いて緩衝材１２で略全空間部が埋められる構成となっているため、段ボール紙の使用量が多くて不経済であると共に重量が大きくなるという課題もあった。しかも、この種の緩衝材１２の場合には、図１４に示すように組み立てられた状態で保管されることが多いため、嵩張って保管のためのスペースが広く必要となるばかりでなく、その輸送のための費用が増加するという課題もあった。
【手続補正５】
【補正対象書類名】明細書
【補正対象項目名】００４４
【補正方法】変更
【補正の内容】
【００４４】
第１及び第２の内容物支持部４０ａ，４０ｂの第１及び第２の押込片４１ａ，４１ｂは、中央縦折目線３６ｂの中途部において内側が凸になると共に第２の平面片３７ｂと第３の平面片３７ｃに所定の深さまで入り込む山形の２本の切込み線を設けることにより形成されている。この第１及び第２の押込片４１ａ，４１ｂの両端部には折目線４２ａ，４２ａがそれぞれ設けられていて、これら折目線４２ａに沿って押込片４１ａ，４１ｂを内側に折り込むことにより、第１及び第２の内容物支持部４０ａ，４０ｂが構成される。そして、第１及び第２の押込片４１ａ，４１ｂの両面が、収納される内容物の隅部に側方から接触して内容物の側面を支持する側面接触部を構成している。
【手続補正６】
【補正対象書類名】明細書
【補正対象項目名】００５３
【補正方法】変更
【補正の内容】
【００５３】
次に、第２の側面片２２ｂを立ち上げることにより、第２の中間支持部３０ｂを立上げて内容物Ｗの一辺の下面に接触させると共に第５の中間支持部３０ｅを内容物Ｗの一辺の上方に回し込んで上面に接触させる。次いで、第１の側面片２２ａを立ち上げることにより、第１の中間支持部３０ａを立上げて内容物Ｗの対向する一辺の下面に接触させると共に第４の中間支持部３０ｄを内容物Ｗの対向する一辺の上方に回し込んで上面に接触させる。そして、内容物Ｗの上面の一部を覆うように配された重合片２４の上に上面片２３を重ね合せ、この上面片２３の先端に設けた２つの舌片２７，２７を重合片２４に設けた差込口２９，２９に差し込んで押し込む。これにより、内容物Ｗの上面の全面が上面片２３によって覆われ、内容物Ｗの六面全てが六面体の六面により所定の隙間をあけて囲われて包装容器内に収納される。
【手続補正７】
【補正対象書類名】明細書
【補正対象項目名】００６５
【補正方法】変更
【補正の内容】
【００６５】
本発明の請求項２記載の包装容器によれば、内容物支持部に設けた支持凸部によって内容物が支持される構成としたため、所定以上の外力が加えられると支持凸部が変形し、この支持凸部の変形により外力を吸収して内容物に加えられる衝撃力を緩衝し、その衝撃力から内容物を保護することができるという効果を得ることができる。
【手続補正８】
【補正対象書類名】明細書
【補正対象項目名】００６６
【補正方法】変更
【補正の内容】
【００６６】
本発明の請求項３記載の包装容器によれば、内容物支持部間に設けた中間支持部によって内容物が上下から支えられる構成としたため、内容物を支持する力を分散させて少ない部分に衝撃力が集中して付与されるのを防止し、内容物をしっかり保持して保護の強化を図ることができるという効果を得ることができる。
【手続補正９】
【補正対象書類名】明細書
【補正対象項目名】００６７
【補正方法】変更
【補正の内容】
【００６７】
本発明の請求項４記載の包装容器によれば、中間支持部に設けた湾曲部が内容物に接触する構成としたため、湾曲部の弾性変形で外力を吸収して内容物に付与される衝撃力を緩衝することができるという効果を得ることができる。
【手続補正１０】
【補正対象書類名】明細書
【補正対象項目名】００６８
【補正方法】変更
【補正の内容】
【００６８】
本発明の請求項５記載の包装容器によれば、湾曲部には穴又は切欠きを設ける構成としたため、中間支持部の弾性変形を容易にして内容物に付与される衝撃力を効果的に緩衝して、内容物の保護の強化を図ることができるという効果を得ることができる。
【手続補正１１】
【補正対象書類名】明細書
【補正対象項目名】００６９
【補正方法】変更
【補正の内容】
【００６９】
本発明の請求項６記載の包装容器によれば、第１〜第４の横折目線に沿って第１〜第４の側面片を折り曲げ、第５及び第６の横折目線に沿って上面片及び重合片を折り曲げると共に、第１〜第４の縦折目線に沿って第１〜第４の支持柱片を折り曲げ、この第１〜第４の支持柱片を３本の縦折目線に沿って折り曲げることにより内容物の四隅を支持する４つの角柱状の内容物支持部が形成される構成としたため、このような構成を有する包装容器で内容物を包装することにより、収納される内容物の周囲に所定の隙間をあけてその内容物を確実に保持することができるという効果を得ることができる。
【手続補正１２】
【補正対象書類名】明細書
【補正対象項目名】００７０
【補正方法】変更
【補正の内容】
【００７０】
本発明の請求項７記載の包装容器によれば、第１及び第２の横折目線の中途部を内側へ折り返すことにより形成された第１及び第２の中間支持部で内容物の隅部以外を下方から支え、第５及び第６の横折目線の中途部を内側へ折り返すことにより形成された第３及び第４の中間支持部で内容物の隅部以外を上方から押える構成としたため、内容物を支持する力を分散させて少ない部分に衝撃力が集中して付与されるのを防止し、内容物をしっかり保持して保護の強化を図ることができるという効果を得ることができる。